(57)【要約】【課題】  本発明は、モデルハウス等の住宅展示場において、住宅の内装品、外装品、設備等の各種内外装設備を短時間で効率良く確実に選択決定出来、展示場に配置する専門職の人員の数を低減することを可能にする住宅展示場を提供することを可能にすることを目的としている。【解決手段】  住宅展示場の順路中に屋外展示コーナーを設けると共に順路の最終段にコーディネーションルームを設け、住宅の各種の内外装設備が夫々同種の機能グループ毎に住宅展示場Ｊの順路の順序に従って、その各機能グループ毎の個々の内外装設備に対応する写真、絵、イラスト、名称、品名、品番等の特定要素が一同に分類して記載され、所望の住宅の内外装設備を選択して記録出来る記録欄21を設けた内外装設備選択シート２を用意し、住宅展示場Ｊの入口から該内外装設備選択シート２を持ち込んで見学しつつ選択記録するように構成したことを特徴とする。【選択図】      図１
2004234013.tif 000002
【特許請求の範囲】
【請求項１】
実物を含む住宅の各種の内外装設備の夫々が所定の順路に従って一同に展示された住宅展示場であって、前記住宅展示場の順路中に屋外展示コーナーを設けたことを特徴とする住宅展示場。
【請求項２】
前記順路の最終段にコーディネーションルームを設けたことを特徴とする請求項１に記載の住宅展示場。
【請求項３】
住宅の各種の内外装設備の夫々が同種の機能グループ毎に所定の順路に従って一同に展示されたことを特徴とする請求項１または請求項２に記載の住宅展示場。
【請求項４】
実物を含む住宅の各種の内外装設備の夫々が同種の機能グループ毎に所定の順路に従って一同に展示された住宅展示場において、
前記住宅展示場入口から見学順路の最終段に至る予め設定された所定の各種内外装設備見学順路に従って記載された同種の機能グループ毎に特定要素が一同に分類して記載された内外装設備選択シートを備えたことを特徴とする請求項１〜３のいずれか１項に記載の住宅展示場。
【請求項５】
請求項４に記載の住宅展示場において、前記内外装設備選択シートは住宅の各種の内外装設備が夫々同種の機能グループ毎に所定の見学順路に応じた順序に従って展示された住宅展示場において利用されるシートであり、かつ前記内外装設備選択シートには前記各機能グループ毎の個々の内外装設備に対応する写真、絵、イラスト、名称、品名、品番等の特定要素が一同に分類されて前記所定の見学順路に応じた順序であってさらに特定要素が展示された順序に従って記載され、前記所定の見学順路の進行に応じて所望する前記各機能グループ毎の個々の内外装設備に対応する前記特定要素に基づいて所望する住宅の内外装設備を選択して記録出来る記録欄を前記所定の見学順路に応じた順序であってさらに特定要素が展示された順序に従って設けたことを特徴とする住宅展示場。
【発明の詳細な説明】
【技術分野】
【０００１】
本発明は、モデルハウス等の住宅展示場で実物を含む住宅の内装品、外装品、各種設備等の内外装設備を一同に展示し、所望の住宅の内外装設備を選択するために有利な住宅展示場に関するものである。
【背景技術】
【０００２】
従来、モデルハウス等の住宅展示場において、住宅の内装品、外装品、設備等の各種内外装設備を選択決定する場合には、コーディネーションルームにおいて写真が掲載されたデザインブックや複数種類のサンプル等から好みにより選んで内外装設備を選択決定するのが一般である。
【０００３】
また、各種内外装設備の実物を見たい場合には、目的の設備を実装したモデルルームを個々に回ったり、個々の設備メーカーのショールームに足を運んで実物を確認するのが一般であった。
【０００４】
最近ではコーディネーションルームの周辺に簡単なショーコーナーを設けたものもあり、特開平10-10967号公報（特許文献１）に記載されたように嗜好タイプ毎に住宅内装を施したサンプルルームを一望出来るように並べて配置し、その近辺にサニタリー、キッチン、カーテン、クロス、外装、玄関、収納、建具、和室、階段等に分類され、その分類毎に嗜好形態に合致した複数の色調と形状とを表現する内装比較空間を配置し、更にこれ等に近接して複数のコーディネーションルームを配置した住宅内装の選択設計装置等が提案されている。
【０００５】
【特許文献１】特開平１０−０１０９６７号公報
【特許文献２】特開平１１−１５３９５２号公報
【特許文献３】特開平１０−０３１４１４号公報
【特許文献４】特開平０９−０９０８６１号公報
【特許文献５】特開平０８−１１５３７０号公報
【特許文献６】特開平０７−２１９９８７号公報
【特許文献７】特開平０６−３２０８８５号公報
【発明の開示】
【発明が解決しようとする課題】
【０００６】
しかしながら、前述の従来例では、デザインブックや個々のサンプルを選択して仕様を決めても全体のイメージがつかみ難く、仕様確認が不十分となるため不安感が残り、出来上がった段階でイメージが異なる等の問題が発生する虞があった。
【０００７】
また、実物確認のために各地のモデルルームや個々の設備メーカーのショールームに何度も足を運び手間がかかり、打ち合わせを重ねる必要があるため仕様決定までに手間と時間がかかるという問題がある。
【０００８】
また、上記公知例では、嗜好タイプ毎に住宅内装を施したサンプルルームの近辺やサニタリー、キッチン、カーテン、クロス、外装、玄関、収納、建具、和室、階段等に分類された各コーナー毎に専門知識を有する者を配置するのが一般であり、複数のコーディネーションルームにも専門知識を有するインテリアコーディネーター等を配置する必要があるため専門職の人員が多数必要になるという問題がある。
【０００９】
また、各コーナーで選択した個々の内外装設備をコーディネーションルームで打ち合わせるに際して選択した品名や品番を忘れたり品名や品番確認の誤解が生じて着工時にトラブルが発生する虞があった。また、住宅の購入を決めた者でも自分の決めた内外装設備が思っていた通りの設備かどうかが不明瞭で不安が残り、着工前に実物確認をしたいという要求が多くなっている。
【００１０】
本発明は前記課題を解決するものであり、その目的とするところは、モデルハウス等の住宅展示場において、住宅の内装品、外装品、設備等の各種内外装設備を短時間で効率良く確実に選択決定出来、展示場に配置する専門職の人員の数を低減することを可能にする住宅展示場を提供せんとするものである。
【課題を解決するための手段】
【００１１】
前記目的を達成するための本発明に係る住宅展示場の第１の構成は、実物を含む住宅の各種の内外装設備の夫々が所定の順路に従って一同に展示された住宅展示場であって、前記住宅展示場の順路中に屋外展示コーナーを設けたことを特徴とする。
【００１２】
ここで、実物を含む住宅の各種の内外装設備とは、実物の他に見本、模型、小片等のサンプル、写真、絵、イラスト、カタログ等が適宜含まれても良い。
【００１３】
また、本発明に係る住宅展示場の第２の構成は、前記順路の最終段にコーディネーションルームを設けたことを特徴とする。
【００１４】
また、本発明に係る住宅展示場の第３の構成は、住宅の各種の内外装設備の夫々が同種の機能グループ毎に所定の順路に従って一同に展示されたことを特徴とする。
【００１５】
また、本発明に係る住宅展示場の第４の構成は、実物を含む住宅の各種の内外装設備の夫々が同種の機能グループ毎に所定の順路に従って一同に展示された住宅展示場において、前記住宅展示場入口から見学順路の最終段に至る予め設定された所定の各種内外装設備見学順路に従って記載された同種の機能グループ毎に特定要素が一同に分類して記載された内外装設備選択シートを備えたことを特徴とする。
【００１６】
上記内外装設備選択シートは住宅の各種の内外装設備が夫々同種の機能グループ毎に所定の順序に従って、その各機能グループ毎の個々の内外装設備に対応する写真、絵、イラスト、名称、品名、品番等の特定要素が一同に分類して記載されている。
【００１７】
また、本発明に係る住宅展示場の第５の構成は、前述の第４の構成の住宅展示場において、前記内外装設備選択シートは住宅の各種の内外装設備が夫々同種の機能グループ毎に所定の見学順路に応じた順序に従って展示された住宅展示場において利用されるシートであり、かつ前記内外装設備選択シートには前記各機能グループ毎の個々の内外装設備に対応する写真、絵、イラスト、名称、品名、品番等の特定要素が一同に分類されて前記所定の見学順路に応じた順序であってさらに特定要素が展示された順序に従って記載され、前記所定の見学順路の進行に応じて所望する前記各機能グループ毎の個々の内外装設備に対応する前記特定要素に基づいて所望する住宅の内外装設備を選択して記録出来る記録欄を前記所定の見学順路に応じた順序であってさらに特定要素が展示された順序に従って設けたことを特徴とする。
【００１８】
内外装設備選択シートの記載順序としては、例えば、実物を含む住宅の各種の内装品、外装品、各種の設備等の内外装設備が同種の機能グループ毎に一同に展示されたモデルハウス等の住宅展示場において、展示場入口から見学順路の最終段となるコーディネーションルームに至る予め設定された所定の見学順路に従って記載されていることが好ましい。
【００１９】
そして、その各機能グループ毎の個々の内外装設備に対応する写真、絵、イラスト、名称、品名、品番等の特定要素が一同に分類して記載されていることで、見学順路の進行と同時に上記特定要素に基づいて所望する住宅の内外装設備を逐一確認しつつ選択することが出来、更に選択すると同時に住宅の内外装設備選択シートに直接記録することが出来るためコーディネーションルームに行き着くまでに選択したはずのものを忘れたり、後で誤解が生じる虞がなく、自筆であれば証拠としても残るので間違いがない。
【００２０】
また、前記住宅の内外装設備選択シートが、所定の順序に従って前記住宅の各種の内外装設備が少なくとも１種類の同種の機能グループ毎に複数枚に分割されて記載された場合には、住宅の内外装設備選択シートを複数枚に分割することで、多種多様な各機能グループ毎の個々の内外装設備に対応する写真、絵、イラスト、名称、品名、品番等の特定要素を漏れなく一同に分類して記載することが出来、住宅一棟分の内外装設備選択情報を漏れなく掲載することが出来る。
【００２１】
上記構成によれば、実物を含む住宅の各種の内装品、外装品、各種の設備等の内外装設備が同種の機能グループ毎に一同に展示されたモデルハウス等の住宅展示場において前述の住宅の内外装設備選択シートを持ち込み、見学順路の進行と同時に多種多様な各機能グループ毎の個々の内外装設備に対応する写真、絵、イラスト、名称、品名、品番等の特定要素に基づいて所望する住宅の内外装設備を逐一確認しつつ選択することで安心且つ確実に選択出来、多くの展示品の中から自分自身の目で実物を確かめ選んで決めたという満足感が得られる。
【００２２】
また、見学順路を一巡すると自動的に住宅一棟分の内外装設備を選択出来るのでインテリアコーディネーター等の専門職の助けを借りずとも住宅の内外装設備の選択作業が短時間で効率的に出来、調和のとれた選択が可能になる。また、住宅の内外装設備の選択に漏れがない。
【００２３】
また、見学順路に従って住宅の各種の内外装設備を選択すると同時に住宅の内外装設備選択シートに個々の内外装設備に対応する写真、絵、イラスト、名称、品名、品番等の特定要素に基づいて所望する住宅の内外装設備を逐一確認しつつ選択した内容を直接記録することが出来るためコーディネーションルームに至るまでに選択したものの記録が残り、選択したものを忘れたり、後で誤解が生じる虞がない。
【００２４】
尚、住宅の内外装設備選択シートへの記録を行う時点は、住宅展示場に入る前の事前説明会等で予め該住宅の内外装設備選択シートを配布しておき、見学前に予め所望する個々の内外装設備を選択しておき、それを持ち込んで見学順路の進行と共に逐次確認することでも良いし、全ての見学を終えた後に個々の内外装設備を総合的に吟味して選択記録することでも良い。
【００２５】
また、前記所定の順路の最終段にコーディネーションルームを設けた場合には、見学順路に従って進行することで、迷うことなくコーディネーションルームに到達することが出来、該コーディネーションルームに到達した時点では見学順路を一巡して自動的に住宅一棟分の内外装設備が選択出来ているので住宅の内外装設備の選択に漏れがなく、選択忘れで住宅展示場内を徘徊するような無駄をなくすことが出来る。
【００２６】
また、住宅展示場の所定の順路に従って、実物を含む住宅の各種の内外装設備を確認しながら住宅の内外装設備選択シートに記載された各機能グループ毎の個々の内外装設備に対応する写真、絵、イラスト、名称、品名、品番等の特定要素を選択することでインテリアアドバイザーやインテリアコーディネーター等の専門職の助けを借りずとも所望の住宅の内外装設備が短時間で効率よく確実に選択決定することが出来る。
【発明の効果】
【００２７】
本発明に係る住宅展示場では外壁色サンプルと玄関タイル色サンプルとを屋外の自然光の下で見学出来るように配慮しており、従来の住宅展示場のように室内螢光燈等の下で選択した場合に実際と配色が微妙に異なり、選択時の不安感や施工後の不満感が発生しないようになっている。また、外壁や玄関タイルと玄関灯を組み合わせて配置することで玄関灯の大きさの配分が容易に確認出来るように配慮している。
【００２８】
住宅の内外装設備選択シートに各機能グループ毎の個々の内外装設備に対応する写真、絵、イラスト、名称、品名、品番等の特定要素が一同に分類して記載されていることで、見学順路の進行と同時にその特定要素に基づいて所望する住宅の内外装設備を逐一確認しつつ選択することが出来、更に選択すると同時に住宅の内外装設備選択シートに直接記録することが出来るためコーディネーションルームに行き着くまでに選択したはずのものを忘れたり、後で誤解が生じる虞がなく、自筆であれば証拠としても残るので好ましい。
【００２９】
また、住宅の内外装設備選択シートが、所定の順序に従って住宅の各種の内外装設備が少なくとも１種類の同種の機能グループ毎に複数枚に分割されて記載された場合には、住宅の内外装設備選択シートを複数枚に分割することで、多種多様な各機能グループ毎の個々の内外装設備に対応する写真、絵、イラスト、名称、品名、品番等の特定要素を漏れなく一同に分類して記載することが出来、住宅一棟分の内外装設備選択情報を漏れなく掲載することが出来、好ましい。
【００３０】
また、実物を含む住宅の各種の内装品、外装品、各種の設備等の内外装設備が同種の機能グループ毎に一同に展示されたモデルハウス等の住宅展示場入口から前述の住宅の内外装設備選択シートを持ち込み、見学順路の進行と同時に多種多様な各機能グループ毎の個々の内外装設備に対応する写真、絵、イラスト、名称、品名、品番等の特定要素に基づいて所望する住宅の内外装設備を逐一確認しつつ選択することで安心且つ確実に選択出来、多くの展示品の中から自分自身の目で実物を確かめ選んで決めたという満足感が得られるため好ましい。
【００３１】
また、見学順路を一巡すると自動的に住宅一棟分の内外装設備を選択出来るのでインテリアコーディネーター等の専門職の助けを借りずとも住宅の内外装設備の選択作業が短時間で効率的に出来、調和のとれた選択が可能になる上、住宅の内外装設備の選択に漏れがない。また、専門職の配置人員を削減して人件コストを低減することも出来る。
【００３２】
また、見学順路に従って住宅の各種の内外装設備を選択すると同時に住宅の内外装設備選択シートに個々の内外装設備に対応する写真、絵、イラスト、名称、品名、品番等の特定要素に基づいて所望する住宅の内外装設備を逐一確認しつつ選択した内容を直接記録することが出来るためコーディネーションルームに至るまでに選択したものの記録が残り、選択したものを忘れたり、後で誤解が生じる虞がない。
【００３３】
また、住宅展示場の見学順路の最終段にコーディネーションルームを設けた場合には、見学順路に従って進行することで、迷うことなくコーディネーションルームに到達することが出来、該コーディネーションルームに到達した時点では見学順路を一巡して自動的に住宅一棟分の内外装設備が選択出来ているので住宅の内外装設備の選択に漏れがなく、選択忘れで住宅展示場内を徘徊するような無駄をなくすことが出来る。
【００３４】
また、住宅展示場の所定の順路に従って、実物を含む住宅の各種の内外装設備を確認しながら住宅の内外装設備選択シートに記載された各機能グループ毎の個々の内外装設備に対応する写真、絵、イラスト、名称、品名、品番等の特定要素を選択することでインテリアコーディネーター等の専門職の助けを借りずとも所望の住宅の内外装設備が短時間で効率よく確実に選択決定することが出来る。
【００３５】
従って、打合せ回数も減り、個々の設備メーカーのショールームに足を運ばせないで済む。
【発明を実施するための最良の形態】
【００３６】
図により本発明に係る住宅展示場の一実施形態を具体的に説明する。
【００３７】
図１は実際の住宅の３階に設けられた本発明に係る住宅展示場の構成を示す平面説明図である。
【００３８】
また、図２は住宅展示場の順路の出発点となる第１のコーナーＡで展示品を見学しながら住宅の内外装設備選択シートを用いて所望の内外装設備を選択決定する様子を示す平面説明図、図３は住宅展示場の順路において第１のコーナーＡの順路下流側の経過点となる第２のコーナーＢで展示品を見学しながら住宅の内外装設備選択シートを用いて所望の内外装設備を選択決定する様子を示す平面説明図である。
【００３９】
また、図４〜図６は第１、第２のコーナーＡ，Ｂにおいて利用する住宅の内外装設備選択シートの構成を示す図である。
【００４０】
また、図７は住宅展示場の順路において第２のコーナーＢの順路下流側の経過点となる第３のコーナーＣで展示品を見学しながら住宅の内外装設備選択シートを用いて所望の内外装設備を選択決定する様子を示す平面説明図、図８は住宅展示場の順路において第３のコーナーＣの順路下流側の経過点となる第４のコーナーＤで展示品を見学しながら住宅の内外装設備選択シートを用いて所望の内外装設備を選択決定する様子を示す平面説明図、図９は第３、第４のコーナーＣ，Ｄにおいて利用する住宅の内外装設備選択シートの構成を示す図である。
【００４１】
また、図10は住宅展示場の順路において第４のコーナーＤの順路下流側の経過点となる第５のコーナーＥで展示品を見学しながら住宅の内外装設備選択シートを用いて所望の内外装設備を選択決定する様子を示す平面説明図、図11は第５のコーナーＥにおいて利用する住宅の内外装設備選択シートの構成を示す図である。
【００４２】
また、図12は住宅展示場の順路において第５のコーナーＥの順路下流側の経過点となる第６のコーナーＦで展示品を見学しながら住宅の内外装設備選択シートを用いて所望の内外装設備を選択決定する様子を示す平面説明図、図13及び図14は第６のコーナーＦにおいて利用する住宅の内外装設備選択シートの構成を示す図である。
【００４３】
また、図15は住宅展示場の順路において第６のコーナーＦの順路下流側で順路の最終段となる２階に設けられたコーディネーションルームＧに向かい、該コーディネーションルームＧで展示品を見学しながら住宅の内外装設備選択シートを用いて所望の内外装設備を選択決定する様子を示す平面説明図、図16はコーディネーションルームＧにおいて利用する住宅の内外装設備選択シートの構成を示す図である。
【００４４】
図１において、Ｊは実際に施工された３階建て住宅を用いたモデルハウス等の住宅展示場の３階フロアーであって、２階フロアーにはコーディネーターが待機して打合せ等のサービスが出来るコーディネーションルームＧが設置されている。
【００４５】
また、住宅展示場Ｊの３階フロアーには、実物を含む住宅一棟分の各種の内装品、外装品、各種の設備等の内外装設備が夫々同種の機能グループ毎に所定の順序に従って一同に展示されている。ここで、実物を含む住宅の各種の内外装設備とは、展示スペースに限りがあるため実物の他に見本、模型、小片等のサンプル、写真、絵、イラスト、カタログ等が適宜含まれる。
【００４６】
住宅展示場Ｊの３階フロアーに設けられた展示コーナーは所定の順路で見学出来るように図示しない進路案内等が各所に設けられている。本実施形態における展示コーナーの順路としては、住宅展示場Ｊの１階フロアー入口から図１に示す階段１を昇った３階フロアー入口の近傍に、先ず、実物の外壁目地サンプル３の各種を展示した第１のコーナーＡが設けられている。
【００４７】
また、第１のコーナーＡの順路下流側には、窓枠サッシの色や屋根材、屋根の吹付け色、外壁色サンプル４と玄関タイル色サンプル５のセット、玄関灯サンプル６、樋、ベランダ腰壁の高さやアクリル板仕様等のベランダタイプサンプル７、物干金物等の実物の各種を屋外（ベランダ）に展示した第２のコーナーＢが設けられている。
【００４８】
前記第２のコーナーＢの順路下流側には、フォーマルクラシック、フォーマルモダン、カジュアルクラシック、カジュアルモダン等の各種のインテリアスタイルのイメージに合わせて施工されたインテリアイメージブース９が一同に配置された第３のコーナーＣが設けられており、各種の窓ガラスサンプル10が展示されている。
【００４９】
更に前記第３のコーナーＣの順路下流側には、前記インテリアイメージブース９によるインテリアスタイルに合わせてドア等の建具サンプル11、室内の巾木、周り縁、木枠等の造作、内装仕上げ、照明、カーテンやカーテンヘッダサンプル12等の実物サンプルの各種を展示した第４のコーナーＤが設けられている。
【００５０】
前記第４のコーナーＤの順路下流側には、書院、数寄屋等の和室仕様や床柱、床板、地板、壁クロス、天井材、障子サンプル13、襖紙や襖縁サンプル14、畳や畳縁サンプル15等の実物サンプルの各種を展示した第５のコーナーＥが設けられている。
【００５１】
前記第５のコーナーＥの順路下流側には、キッチンセット面材サンプル16、キッチンセットの標準、オプション、タイル、洗面、化粧台面材、洗面、化粧台の標準、オプション、便器セット、便器色、内装仕上げセット等の実物サンプルや模型の各種を展示した第６のコーナーＦが設けられている。
【００５２】
前記第６のコーナーＦの順路下流側には、階段１を下って住宅展示場Ｊの２階フロアーに設けられた順路最終段となるコーディネーションルームＧが設置されている。コーディネーションルームＧでは、ユニットバスセットやその色等の実物サンプルや模型の各種が展示されており、各種設備図の確認やコーディネーターによる各種の相談、或いは後述する住宅の内外装設備選択シート２を使用して選択した個々の内外装設備の再確認等の打合せや他のサービスが出来るようになっている。
【００５３】
尚、本実施形態では、展示場のスペースが限られているため、別階でキッチン、洗面、ユニットバスの実物が確認出来るようにもなっている。
【００５４】
見学者は図１に示すように住宅展示場Ｊの入口から住宅の内外装設備選択シート２を持ち込む。
【００５５】
内外装設備選択シート２は、図４〜図６、図９、図11、図13、図14及び図16に示すように、住宅展示場Ｊに展示された住宅の各種の内外装設備が夫々同種の機能グループ毎に前述した住宅展示場Ｊの順路に応じた順序に従って、その各機能グループ毎の個々の内外装設備に対応する写真、絵、イラスト、名称、品名、品番等の特定要素が一同に分類して記載されている。
【００５６】
本実施形態では、住宅一棟分の各種の内装品、外装品、各種の設備等の内外装設備が図４、図５、図６、図９、図11、図13、図14及び図16に示す各内外装設備選択シート２に少なくとも１種類の同種の機能グループ毎に８枚に分割されて記載されており、前述した住宅展示場Ｊの順路に応じた順序の進行に応じて所望する個々の内外装設備に対応する写真、絵、イラスト、名称、品名、品番等の特定要素に基づいて所望の内外装設備を選択して記録する記録欄21が設けられている。
【００５７】
住宅展示場Ｊを見学する見学者は、見学の事前説明会や住宅展示場Ｊの受付で内外装設備選択シート２を受け取り、図１に示すように、住宅展示場Ｊの入口から該内外装設備選択シート２及び筆記用具を持ち込む。
【００５８】
ここで、先ず、想定する住宅スタイルの種類及び住宅の価格グレードを、図４及び図５に示す内外装設備選択シート２に記載された住宅種類名の選択項目欄30、及び図９に示す内外装設備選択シート２に記載された価格グレードの選択項目欄44から所望する住宅スタイルの種類名や価格グレードを選択して筆記用具を用いて記録欄21に「レ」印や「○」印等を記録する。
【００５９】
図９の価格グレードの選択項目欄44に記載された価格グレードは、住宅全体の価格グレードを示し、ＣＧ（カスタムグレード）、ＳＧ（スタンダードグレード）、ＥＧ（エコノミーグレード）の順に安価に設定されている。
【００６０】
そして、住宅展示場Ｊの１階フロアーから階段１を昇って３階フロアーに入ると、図示しない見学順路案内により導かれて図２に示す各種の外壁目地サンプル３が一同に展示された第１のコーナーＡに到達し、外壁目地サンプル３を見学しつつ図４及び図５に示す内外装設備選択シート２に記載された各種の外壁目地タイプの写真サンプル31から所望の写真サンプル31を選んで筆記用具を用いて記録欄21に「レ」印や「○」印等を記録する。
【００６１】
次に図示しない見学順路案内により導かれて図３に示す各種の外壁色サンプル４と玄関タイル色サンプル５と玄関灯サンプル６が組合せセットになって一同に展示された第２のコーナーＢに到達し、ここで、外壁色サンプル４、玄関タイル色サンプル５、玄関灯サンプル６を見学しつつ図４及び図５に示す内外装設備選択シート２に記載された各種の外壁色の写真サンプル32、玄関タイル色の写真サンプル33、玄関灯の写真サンプル34から所望の各写真サンプル32，33，34を選んで筆記用具を用いて各記録欄21に「レ」印や「○」印等を記録する。
【００６２】
本実施形態の住宅展示場Ｊでは外壁色サンプル４と玄関タイル色サンプル５とを屋外の自然光の下で見学出来るように配慮しており、従来の住宅展示場のように室内螢光燈等の下で選択した場合に実際と配色が微妙に異なり、選択時の不安感や施工後の不満感が発生しないようになっている。また、外壁や玄関タイルと玄関灯を組み合わせて配置することで玄関灯の大きさの配分が容易に確認出来るように配慮している。
【００６３】
また、同第２のコーナーＢにおいて、図３に示す各種の屋根材サンプルが一同に展示されており、該屋根材サンプルを見学しつつ図４及び図５に示す内外装設備選択シート２に記載された各種の屋根材の写真サンプル35から所望の写真サンプル35を選んで筆記用具を用いて各記録欄21に「レ」印や「○」印等を記録する。
【００６４】
また、同第２のコーナーＢにおいて、図３に示す各種のサッシや軒樋、たて樋のサンプルも一同に展示されており、これ等の各サンプルを見学しつつ図４及び図５に示す内外装設備選択シート２に記載された各種のサッシや軒樋、たて樋の色や材質を選択する選択項目欄36から所望の色や材質を選んで筆記用具を用いて各記録欄21に「レ」印や「○」印等を記録する。
【００６５】
また、同第２のコーナーＢにおいて、図３に示す各種の玄関ドアや勝手口ドア、或いはベランダドア、物干金物、ベランダ床仕上げ、ベランダ用手摺り等の各種のベランダタイプサンプル７及びオプションのロール式網戸のサンプルも一同に展示されており、これ等の各サンプルを見学しつつ図６に示す内外装設備選択シート２に記載された各種の玄関ドアの建て付けを選択する選択項目欄37から所望の玄関ドアの建て付けを選んで筆記用具を用いて各記録欄21に「レ」印や「○」印等を記録し、更に図６に示す内外装設備選択シート２に記載された各種の玄関ドアの写真サンプル38、勝手口ドアの写真サンプル39、ベランダ屋上用手摺りの写真サンプル40、物干金物の写真サンプル41、ベランダ床仕上げの写真サンプル42、ロール式網戸の写真サンプル43から所望の写真サンプル38〜43を選んで筆記用具を用いて各記録欄21に「レ」印や「○」印等を記録する。
【００６６】
次に図示しない見学順路案内により導かれて図７及び図８に示す各種のインテリアイメージブース９が一同に展示された第３、第４のコーナーＣ，Ｄに到達し、ここで、窓ガラスサンプル10、建具サンプル11、室内の巾木、周り縁、木枠等の造作、内装仕上げ、照明、カーテンやカーテンヘッダサンプル12等の各種実物サンプルを見学しつつ図９に示す内外装設備選択シート２に記載された各種の建具色の写真サンプル45、居間ガラス入りドアの写真サンプル46、居間建具のガラスの写真サンプル47、居間のフローリング材の写真サンプル48から所望の各写真サンプル45〜48を選んで筆記用具を用いて各記録欄21に「レ」印や「○」印等を記録する。
【００６７】
また、第３、第４のコーナーＣ，Ｄには各種のクロス（壁紙）やカーテンボックスの実物サンプルや写真等が展示されており、これ等の各種サンプルを見学しつつ図９に示す内外装設備選択シート２に記載された基本クロスの選択項目欄49及びカーテンボックスの選択項目欄50の各記録欄21に筆記用具を用いて各部屋毎にクロスの商品名や商品記号等を記録する。また、物入押入内部の棚構造も図９に示す内外装設備選択シート２に記載された棚構造のイラストサンプルから選んで棚構造選択項目欄51の各記録欄21に筆記用具を用いて所望する棚構造を施す各部屋の名称等を記録する。
【００６８】
次に図示しない見学順路案内により導かれて図10に示す書院と数寄屋の２種類の和室仕様が一同に展示された第５のコーナーＥに到達し、ここで、障子サンプル13、襖紙や襖縁サンプル14、畳や畳縁サンプル15、床柱、床形式、床板、地板、壁クロス、天井材等の各種実物サンプルを見学しつつ図11に示す内外装設備選択シート２に記載された各種の床柱の写真サンプル52、床形式のイラストサンプル53、床板、地板の写真サンプル54、天井材の写真サンプル55、襖縁の写真サンプル56、障子の写真サンプル57、畳縁の写真サンプル58から所望の各写真サンプル52〜58を選んで筆記用具を用いて各記録欄21に「レ」印や「○」印等を記録する。
【００６９】
また、第５のコーナーＥには各種の和室壁クロス（壁紙）や襖紙、畳のサンプルや写真等が展示されており、これ等の各種サンプルを見学しつつ図11に示す内外装設備選択シート２に記載された壁クロスの選択項目欄59に筆記用具を用いて各部屋毎にクロスの商品名や商品記号等を記録し、襖紙の選択項目欄60及び畳の選択項目欄61の各記録欄21に所望する襖紙や畳を選んで筆記用具を用いて各記録欄21に「レ」印や「○」印等を記録する。
【００７０】
また、和室の押入内部の棚構造も図９に示す内外装設備選択シート２に記載された棚構造のイラストサンプルから選んで棚構造選択項目欄62の各記録欄21に筆記用具を用いて所望する棚構造を施す各部屋の名称等を記録する。
【００７１】
次に図示しない見学順路案内により導かれて図12に示す各種キッチンセット面材サンプル16等のキッチンセットが一同に展示された第６のコーナーＦに到達し、ここで、キッチンセット面材サンプル16、カウンター、シンク、食器洗浄器、水栓、キッチン前タイル、洗面化粧台面材、便器（トイレ）セット、内装仕上げ等の各種実物サンプルを見学しつつ図13に示す内外装設備選択シート２に記載された各メーカーのキッチンセットの写真サンプル63から所望のメーカーのキッチンセットの写真サンプル63を選んで、キッチンセット面材、カウンターの段落、カウンターの材質、カウンターの高さ、或いはシンクやコンロの種類、食器洗浄機、水栓、キッチン前タイル、タイル目地等の種類を選んで各選択項目欄の各記録欄21に筆記用具を用いて「レ」印や「○」印等を記録する。
【００７２】
また、図14に示す内外装設備選択シート２に記載された各メーカーの洗面化粧台の写真サンプル66から所望のメーカーの洗面化粧台の写真サンプル66を選んで筆記用具を用いて扉色、ボール、水栓、鏡等の各記録欄21に「レ」印や「○」印等を記録する。
【００７３】
また、図14に示す内外装設備選択シート２に記載された各種の洗濯機用水栓の写真サンプル67から所望の洗濯機用水栓の写真サンプル67を選んで筆記用具を用いて記録欄21に「レ」印や「○」印等を記録する。
【００７４】
また、サニタリーやトイレオプションの選択項目欄68の各記録欄21に筆記用具を用いて「レ」印や「○」印等を記録する。また、各種のトイレ収納の写真サンプル69や各メーカーの便器セット及びそのカラーの写真サンプル70及び便座の種類から所望の各写真サンプル69，70及び便座の種類を選んで筆記用具を用いて記録欄21に「レ」印や「○」印等を記録する。
【００７５】
また、図14に示す内外装設備選択シート２に記載された各種のトイレ内装材の写真サンプル71から所望のトイレ内装材の写真サンプル71を選んで筆記用具を用いて記録欄21に「レ」印や「○」印等を記録する。
【００７６】
次に図15に示すように、図示しない見学順路案内により導かれて階段１を下り、２階フロアーに設けられた順路の最終段となるコーディネーションルームＧに到達し、ここで、ユニットバスセット等の各種サンプルを見学しつつ図16に示す内外装設備選択シート２に記載された各メーカーのユニットバスセットの写真サンプル72から所望のメーカーのユニットバスセットの写真サンプル72を選んで壁や床、装備品等を選び、筆記用具を用いて各記録欄21に「レ」印や「○」印等を記録する。
【００７７】
また、コーディネーションルームＧでは、各種設備図の確認やコーディネーターによる各種の相談、或いは内外装設備選択シート２を使用して選択した個々の内外装設備の再確認等の打合せや他のサービスが受けられる。
【００７８】
本実施形態では、内外装設備選択シート２に記載された各機能毎の個々の内外装設備の殆どが写真サンプルで掲載されたものを用意したため専門知識が無い者でも外観や配色で容易に判別が出来、間違って記録する虞がない。
【００７９】
また、内外装設備選択シート２を利用して見学順路の進行と同時に所望する住宅の内外装設備を逐一確認しつつ選択することが出来、更に選択すると同時に住宅の内外装設備選択シート２に直接記録することが出来るためコーディネーションルームＧに行き着くまでに選択したはずのものを忘れたり、後で誤解が生じる虞がなく、自筆であれば証拠としても残るので好ましい。また、仕様確認を確実に行うことが出来るので施工後に間違った部材を取り換えたりする現場損金の発生を未然に防止することが出来る。
【００８０】
また、コーディネーションルームＧでは、選択した内外装設備の再確認や未決定部分の選定のポイント説明だけで済むので打合せ時間や打合せ回数が低減出来、好ましい。例えば、従来例の平均打合せ時間が１２．５時間であったものが本実施形態では３．０時間程度に低減し、打ち合わせ回数も従来例では平均３．０回であったものが本実施形態では１回で済む。
【００８１】
また、内外装設備選択シート２が少なくとも１種類の同種の機能グループ毎に内外装設備が複数枚に分割して記載されたことで、多種多様な各機能グループ毎の個々の内外装設備に対応する写真、絵、イラスト、名称、品名、品番等の特定要素を漏れなく一同に分類して記載することが出来、住宅一棟分の内外装設備選択情報を漏れなく掲載することが出来、好ましい。
【００８２】
尚、前記実施形態では、住宅展示場Ｊの見学と同時に内外装設備選択シート２に記録する場合の一例について説明したが、内外装設備選択シート２への記録を行う時点は、住宅展示場Ｊに入る前の事前説明会等で予め該内外装設備選択シート２を配布しておき、見学前に予め所望する個々の内外装設備を選択しておき、それを住宅展示場Ｊに持ち込んで見学順路の進行と共に逐次確認することでも良いし、住宅展示場Ｊで全ての見学を終えた後に個々の内外装設備を総合的に吟味して選択記録することでも良い。
【００８３】
尚、住宅の既契約者が自分で決めた内外装設備に不安が残るような場合、この内外装設備選択シート２を用いて選択記録することにより再確認することが出来る。この場合、不安である内外装設備に関して内外装設備選択シート２を用いて必要な内外装設備のみについて適宜選択して内外装設備の選択記録を行っても良い。
【産業上の利用可能性】
【００８４】
本発明の活用例として、モデルハウス等の住宅展示場で実物を含む住宅の内装品、外装品、各種設備等の内外装設備を一同に展示し、所望の住宅の内外装設備を選択するために有利な住宅展示場に適用出来る。
【図面の簡単な説明】
【００８５】
【図１】実際の住宅の３階に設けられた本発明に係る住宅展示場の構成を示す平面説明図である。
【図２】住宅展示場の順路の出発点となる第１のコーナーＡで展示品を見学しながら住宅の内外装設備選択シートを用いて所望の内外装設備を選択決定する様子を示す平面説明図である。
【図３】住宅展示場の順路において第１のコーナーＡの順路下流側の経過点となる第２のコーナーＢで展示品を見学しながら住宅の内外装設備選択シートを用いて所望の内外装設備を選択決定する様子を示す平面説明図である。
【図４】第１、第２のコーナーＡ，Ｂにおいて利用する住宅の内外装設備選択シートの構成を示す図である。
【図５】第１、第２のコーナーＡ，Ｂにおいて利用する住宅の内外装設備選択シートの構成を示す図である。
【図６】第１、第２のコーナーＡ，Ｂにおいて利用する住宅の内外装設備選択シートの構成を示す図である。
【図７】住宅展示場の順路において第２のコーナーＢの順路下流側の経過点となる第３のコーナーＣで展示品を見学しながら住宅の内外装設備選択シートを用いて所望の内外装設備を選択決定する様子を示す平面説明図である。
【図８】住宅展示場の順路において第３のコーナーＣの順路下流側の経過点となる第４のコーナーＤで展示品を見学しながら住宅の内外装設備選択シートを用いて所望の内外装設備を選択決定する様子を示す平面説明図である。
【図９】第３、第４のコーナーＣ，Ｄにおいて利用する住宅の内外装設備選択シートの構成を示す図である。
【図１０】住宅展示場の順路において第４のコーナーＤの順路下流側の経過点となる第５のコーナーＥで展示品を見学しながら住宅の内外装設備選択シートを用いて所望の内外装設備を選択決定する様子を示す平面説明図である。
【図１１】第５のコーナーＥにおいて利用する住宅の内外装設備選択シートの構成を示す図である。
【図１２】住宅展示場の順路において第５のコーナーＥの順路下流側の経過点となる第６のコーナーＦで展示品を見学しながら住宅の内外装設備選択シートを用いて所望の内外装設備を選択決定する様子を示す平面説明図である。
【図１３】第６のコーナーＦにおいて利用する住宅の内外装設備選択シートの構成を示す図である。
【図１４】第６のコーナーＦにおいて利用する住宅の内外装設備選択シートの構成を示す図である。
【図１５】住宅展示場の順路において第６のコーナーＦの順路下流側で順路の最終段となる２階に設けられたコーディネーションルームＧに向かい、該コーディネーションルームＧで展示品を見学しながら住宅の内外装設備選択シートを用いて所望の内外装設備を選択決定する様子を示す平面説明図である。
【図１６】コーディネーションルームＧにおいて利用する住宅の内外装設備選択シートの構成を示す図である。
【符号の説明】
【００８６】
Ａ…第１のコーナー、Ｂ…第２のコーナー、Ｃ…第３のコーナー、Ｄ…第４のコーナー、Ｅ…第５のコーナー、Ｆ…第６のコーナー、Ｇ…コーディネーションルーム、Ｊ…住宅展示場、１…階段、２…内外装設備選択シート、３…外壁目地サンプル、４…外壁色サンプル、５…玄関タイル色サンプル、６…玄関灯サンプル、７…ベランダタイプサンプル、９…インテリアイメージブース、10…窓ガラスサンプル、11…建具サンプル、12…カーテンヘッダサンプル、13…障子サンプル、14…襖紙や襖縁サンプル、15…畳や畳縁サンプル、16…キッチンセット面材サンプル、21…記録欄、30…住宅種類名の選択項目欄、31…外壁目地タイプの写真サンプル、32…外壁色の写真サンプル、33…玄関タイル色の写真サンプル、34…玄関灯の写真サンプル、35…屋根材の写真サンプル、36，37…選択項目欄、38…玄関ドアの写真サンプル、39…勝手口ドアの写真サンプル、40…ベランダ屋上用手摺りの写真サンプル、41…物干金物の写真サンプル、42…ベランダ床仕上げの写真サンプル、43…ロール式網戸の写真サンプル、44…価格グレードの選択項目欄、45…建具色の写真サンプル、46…居間ガラス入りドアの写真サンプル、47…居間建具のガラスの写真サンプル、48…居間のフローリング材の写真サンプル、49…基本クロスの選択項目欄、50…カーテンボックスの選択項目欄、51…棚構造選択項目欄、52…床柱の写真サンプル、53…床形式のイラストサンプル、54…床板、地板の写真サンプル、55…天井材の写真サンプル、56…襖縁の写真サンプル、57…障子の写真サンプル、58…畳縁の写真サンプル、59…壁クロスの選択項目欄、60…襖紙の選択項目欄、61…畳の選択項目欄、62…棚構造選択項目欄、63…キッチンセットの写真サンプル、66…洗面化粧台の写真サンプル、67…洗濯機用水栓の写真サンプル、68…選択項目欄、69…トイレ収納の写真サンプル、70…便器セット及びそのカラーの写真サンプル、71…トイレ内装材の写真サンプル、72…ユニットバスセットの写真サンプル
【図１】
2004234013.tif 000003
【図２】
2004234013.tif 000004
【図３】
2004234013.tif 000005
【図４】
2004234013.tif 000006
【図５】
2004234013.tif 000007
【図６】
2004234013.tif 000008
【図７】
2004234013.tif 000009
【図８】
2004234013.tif 000010
【図９】
2004234013.tif 000011
【図１０】
2004234013.tif 000012
【図１１】
2004234013.tif 000013
【図１２】
2004234013.tif 000014
【図１３】
2004234013.tif 000015
【図１５】
2004234013.tif 000016
【図１６】
2004234013.tif 000017
【図１４】
2004234013.tif 000018